(57)【要約】【課題】上流側の軒樋における軒樋継手との段差部に残留した雨水を下流側の軒樋側に円滑に流すことができる軒樋継手を提供する。【解決手段】軒樋２，３の端部４，５間の内側に跨って配置され、上流側の軒樋２から下流側の軒樋３に向かって流れる雨水の流路を形成する断面Ｕ字状の樋状体６を備え、樋状体６の内底面８に、内底面８における上流側の軒樋２側の端縁から下流側の軒樋３側の端縁まで連続する凹溝１１が形成されている。【選択図】図１
2015055117.tif 000002
【特許請求の範囲】
【請求項１】
軒樋の端部間の内側に跨って配置され、上流側の前記軒樋から下流側の前記軒樋に向かって流れる雨水の流路を形成する樋状体を備え、
前記樋状体の内底面に、前記内底面における前記上流側の軒樋側の端縁から前記下流側の軒樋側の端縁まで連続する凹溝が形成されていることを特徴とする軒樋継手。
【請求項２】
前記樋状体の前記凹溝に、屈曲部または湾曲部が設けられていることを特徴とする請求項１記載の軒樋継手。
【請求項３】
前記凹溝の幅方向の少なくとも片側の端縁に、立上り壁が設けられていることを特徴とする請求項１又は２に記載の軒樋継手。
【請求項４】
前記立上り壁が前記凹溝の前記幅方向の両端縁に設けられ、前記両端縁に設けられた前記立上り壁の上部間に上壁が設けられていることを特徴とする請求項３記載の軒樋継手。
【請求項５】
前記上壁に少なくとも一の貫通孔が設けられていることを特徴とする請求項４記載の軒樋継手。
【請求項６】
請求項１〜５のいずれか一項に記載の軒樋継手を用いて軒樋を接続させたことを特徴とする軒樋の接続構造。
【発明の詳細な説明】
【技術分野】
【０００１】
本発明は、軒樋継手及び軒樋の接続構造に関する。
【背景技術】
【０００２】
軒樋は、所定の長さ寸法で成形又は切断された複数のものを軒樋継手によって直線状に接続させたり、略直交する方向に接続させたりして、家屋等の軒先の直線部又はコーナー部に設置される。
従来より、軒樋の接続構造としては、長手方向に隣接するよう配置させた上流側の軒樋と下流側の軒樋との各端部の内側に軒樋継手を配置させて２つの軒樋を接続する方法が知られている。この軒樋継手の内側には、雨水の流路が形成され、上流側の軒樋内の雨水は、軒樋継手の雨水の流路を通って下流側の軒樋側に流されるようになっている。
【０００３】
しかし、軒樋の内側に軒樋継手を配置した場合、上流側の軒樋の内底面と軒樋継手の内底面との間に、軒樋継手の底部の厚さ分だけ段差ができる。そうすると、上流側の軒樋内の軒樋継手との間の段差部において雨水が残留し得るため、残留した雨水により藻やコケが生えることが懸念されることがあった。
【０００４】
そこで、軒樋継手の底部に、両方の軒樋側に開口する孔部を設け、上流側の軒樋における残留雨水を毛細管作用で孔部内に吸引し、下流側の軒樋側に流すようにしたものが提案されている（例えば、特許文献１参照。）。
【先行技術文献】
【特許文献】
【０００５】
【特許文献１】特許第４７９７７９９号公報
【発明の概要】
【発明が解決しようとする課題】
【０００６】
ところで、特許文献１の軒樋継手の場合、毛細管作用により上流側の軒樋における段差部の残留雨水を軒樋継手の底部に設けた孔部へ吸引することができるようにするため、孔部の直径を非常に小さくする必要がある。
しかし、孔部の直径を小さくすると孔部が塵埃類により容易に目詰まりしてしまうため、上流側の軒樋における段差部の残留雨水を、下流側の軒樋側に流すことが困難又は不可能となり、依然として上流側の軒樋における段差部の雨水が残留するおそれがある。したがって、従来の孔部を備えた軒樋継手では、上記課題を解決するのに十分ではなかった。
【０００７】
本発明は、上流側の軒樋における軒樋継手との段差部の残留雨水を下流側の軒樋側に円滑に流すことができる軒樋継手を提供することを課題とする。
【課題を解決するための手段】
【０００８】
本発明は、軒樋の端部間の内側に跨って配置され、上流側の前記軒樋から下流側の前記軒樋に向かって流れる雨水の流路を形成する樋状体を備え、前記樋状体の内底面に、前記内底面における前記上流側の軒樋側の端縁から前記下流側の軒樋側の端縁まで連続する凹溝が形成されていることを特徴としている。
本発明に係る軒樋継手によれば、上流側の軒樋における軒樋継手との段差部に残留した雨水が、樋状体の凹溝を通過して下流側の軒樋側に円滑に流される。
【０００９】
本発明に係る軒樋継手は、前記樋状体の前記凹溝に、屈曲部または湾曲部が設けられていることが好ましい。
この構成によれば、凹溝を全長に亘って直線状に形成した場合に比べて、凹溝を設けた底面を形成する部分、及び樋状体の強度を向上させることができる。
【００１０】
本発明に係る軒樋継手は、前記凹溝の幅方向の少なくとも片側の端縁に、立上り壁が設けられていることが好ましい。
立上り壁は、凹溝の前記端縁に一つ又は間欠的に複数設けることもできる。
この構成によれば、凹溝を横切るようにして凹溝上に被せられた枯葉等の一部が、立上り壁によって持ち上げられるので、凹溝が枯葉等で閉塞されるのを抑制することができる。
【００１１】
本発明に係る軒樋継手は、前記立上り壁が前記凹溝の前記幅方向の両端縁に設けられ、前記両端縁に設けられた前記立上り壁の上部間に上壁が設けられていてもよい。
この構成によれば、凹溝を形成した部分、立上り壁、及び樋状体の強度向上を図ることができる。
【００１２】
本発明に係る軒樋継手は、前記上壁に少なくとも一の貫通孔が設けられていることが好ましい。
この構成によれば、上壁の貫通孔を通して空気が流動するので、凹溝を流れる残留雨水の流動を促進することができる。
【００１３】
本発明に係る軒樋の接続構造は、上記いずれかに記載の軒樋継手を用いて軒樋を接続させたことを特徴とする。
この構成によれば、上記いずれかの作用又は機能を有する軒樋の接続構造とすることができる。
【発明の効果】
【００１４】
本発明によれば、上流側の軒樋における軒樋継手との段差部の残留雨水を下流側の軒樋側に円滑に流すことができるという効果を奏する。
【図面の簡単な説明】
【００１５】
【図１】本発明の一実施形態に係る軒樋継手と、上流側の軒樋と、下流側の軒樋と、曲がりタイプの軒樋継手とにより接続される軒樋の接続構造の例を示す分解斜視図である。
【図２】本発明の一実施形態に係る軒樋継手を示す斜視図である。
【図３】本発明の一実施形態に係る軒樋継手を図２の矢印Ａから視た側面図である。
【図４】本発明の一実施形態に係る軒樋継手の変形例１を示す斜視図である。
【図５】本発明の一実施形態に係る軒樋継手を図４の矢印Ｂから視た側面図である。
【図６】本発明の一実施形態に係る軒樋継手の変形例２を示す斜視図である。
【図７】本発明の一実施形態に係る軒樋継手を図６の矢印Ｃから視た側面図である。
【図８】本発明の一実施形態に係る軒樋継手の変形例３を示す斜視図である。
【図９】本発明の一実施形態に係る軒樋継手を図８の矢印Ｄから視た側面図である。
【図１０】本発明の一実施形態に係る軒樋継手の変形例４を示す斜視図である。
【図１１】本発明の一実施形態に係る軒樋継手を図１０の矢印Ｅから視た側面図である。
【図１２】本発明の一実施形態に係る軒樋継手の変形例４の他の例の底板面を示す平面図である。
【発明を実施するための形態】
【００１６】
以下、本発明に係る実施形態の軒樋継手について、図面を参照して詳細に説明する。
図１に示すように、本実施形態の軒樋の接続構造Ｘは、軒樋継手１と、上流側の軒樋２と下流側の軒樋３とを備えている。
【００１７】
軒樋継手１は、軒樋２，３の各端部４，５の内側に跨って配置され、上流側の軒樋２から下流側の軒樋３に向かって流れる雨水の流路を形成する断面略Ｕ字状の樋状体６を備えている。樋状体６の底板７おける内底面８には、内底面８における上流側の軒樋２側の端縁９から下流側の軒樋３側の端縁１０まで連続する残留雨水の流路である凹溝１１が形成されている。
なお、図中の符号１２は、軒先の出隅又は入隅に用いられる曲がりタイプの軒樋継手を示す。本発明は、この曲がりタイプの軒樋継手１２にも適用することができる。
【００１８】
軒樋継手１の樋状体６は、図２に示すように、断面が略Ｕ字状かつ多角形に形成され、その内部空間は雨水の流路となっている。
この樋状体６は、建物の鼻隠板（図示せず）に接近させかつ鼻隠板に対向させて配置される後方側板１３と、後方側板１３から離間する前方側板１４と、後方側板１３の下端部と前方側板１４の下端部とを連結する底板７とを有している。
【００１９】
凹溝１１は、底板７の内底面８における幅方向中間部に形成されている。後方側板１３には、凹凸部１５、舌片１６等が設けられている。
凹溝１１の底部１７の肉厚は、図３に示すように、その両側の部分より薄く形成されている。凹溝１１の両側面には、外側に向かって広がる方向に傾斜する傾斜面が設けられている。
【００２０】
本実施形態においては、凹溝１１は所定の幅寸法で直線状に形成されている。ここでは、凹溝１１の幅寸法は、内底面８における雨水の流れる方向と直交する方向の幅の約１／４に形成されているが、１／４以上又は１／４以下でもよい。凹溝１１の底部１７の厚さ寸法は、凹溝１１の両側の部分の厚さ寸法の略１／２に形成されているが、１／２以下又は１／２以上でもよい。
【００２１】
図１の上流側の軒樋２及び下流側の軒樋３は内部空間を有する断面多角形の略Ｕ字状に形成されている。これらの軒樋２及び３は、軒樋継手１と同様に、後方側板１８、前方側板１９及び底板２０を有している。曲がりタイプの軒樋継手１２の場合は、全体的にＬ字状に形成され、その断面は多角形のＵ字状に形成されている。
【００２２】
次に、この軒樋継手１の作用について説明する。図１に示すように、上流側の軒樋２と下流側の軒樋３とを接続する場合は、軒樋継手１の一端部を上流側の軒樋２における端部４の内側に嵌合させ、軒樋継手１の他端部を下流側の軒樋３における端部５の内側に嵌合させる。これにより、上流側の軒樋２と下流側の軒樋３とが接続され、上流側の軒樋２内の雨水が軒樋継手１を経由して下流側の軒樋３側に流される。
【００２３】
このように、上流側の軒樋２と下流側の軒樋３とが、両軒樋２，３の内側に配置された軒樋継手１で接続された状態では、上流側の軒樋２における端部の内面に、軒樋継手１の底板７の厚さ分だけ段差ができる。従って、従来の技術では、上流側の軒樋２内における上記段差部に雨水が残留し易くなる。
【００２４】
本実施形態の軒樋継手１によれば、凹溝１１において底板７が薄肉に形成されているため、上流側の軒樋２における上記段差部に残留した雨水が、軒樋継手１における凹溝１１を通って下流側の軒樋３側に円滑に流されやすくなる。従って、上流側の軒樋２における上記段差部に残留した雨水により前記段差部において藻やコケが生えることを防止することができるという効果が得られる。
また、凹溝１１は、従来の軒樋継手のように毛細管作用により雨水を吸水するものではないので、横断面積（残留雨水の流路面積）を比較的大きくすることができる。従って、凹溝１１が砂等で閉塞されるのを防止することができるという効果が得られる。
【００２５】
次に、軒樋継手１の変形例１〜４について説明する。以下の説明において、図２及び図３と同一の構成については、同一の符号を付してその詳細な説明を省略する。
【００２６】
（変形例１）
図４及び図５は、変形例１の樋状体２１を示す。この樋状体２１においては、底板７の内底面８に凹溝２２が設けられている。凹溝２２の幅方向（すなわち凹溝２２において残留雨水が流れる方向と直交する方向）の両端縁に、立上り壁２３，２３が設けられている。
【００２７】
この構成によれば、底板７及び樋状体２１の強度向上を図ることができる。また、凹溝２２を横切るようにして凹溝２２上に被せられた枯葉等の一部が、立上り壁２３により持ち上げられるので、凹溝２２が枯葉等により閉塞されるのを抑制できる。
なお、立上り壁２３は、凹溝２２の片側の端縁にのみ設けることもできる。
【００２８】
（変形例２）
図６及び図７は、変形例２の樋状体２４を示す。この樋状体２４においては、底板７の内底面８に凹溝２５が設けられている。凹溝２５の幅方向の両端縁には、凹溝２５の全長に亘って立上り壁２６、２６が設けられている。立上り壁２６，２６の上部間、本実施形態では上端部間に上壁２７が設けられている。上壁２７には、矩形の貫通孔２８が、互いに間隔を空けて複数形成されている。
【００２９】
この構成によれば、立上り壁２６、底板７及び樋状体２４の強度向上を図ることができる。また、上壁２７に形成された貫通孔２８を通して空気が流通するので、凹溝２５を流れる残留雨水の流動を促進することができる。
【００３０】
（変形例３）
図８及び図９は、変形例３の樋状体２９を示す。この樋状体２９においては、底板７の内底面８における後方側板１３寄りの位置、及び前方側板１４寄りの位置に、それぞれ凹溝３０が設けられている。本実施形態では、凹溝３０は、後方側板１３及び前方側板１４の内面から所定の幅寸法で設けられている。
図９に示すように、後方側板１３側に形成された凹溝３０及び前方側板１４側に形成された凹溝３０の各端縁には、それぞれ立上り壁３１が設けられている。
【００３１】
この構成によれば、樋状体２９の底板７における内底面８に、二つの凹溝３０が互いに離間して形成されているので、凹溝３０が枯葉等により閉塞されるリスクを分散することができる。
なお、上記変形例１から３において、立上り壁２３，２６，３１は凹溝２２，２５，３０に沿ってその全長に亘って設けられているが、立上り壁２３，２６，３１は、長手方向に部分的に又は間欠的に複数設けることもできる。
【００３２】
（変形例４）
図１０，図１１は、変形例４の樋状体３２を示す。この樋状体３２の底板７における内底面８には、二つの凹溝３３，３３が設けられている。
凹溝３３における長手方向のこれらの凹溝３３，３３は、間隔を空けて平行に形成さている。凹溝３３は、一つだけ形成されていても又は互いに間隔を空けて三つ以上形成されていてもよい。
【００３３】
この構成による場合でも、樋状体２９の底板７における内底面８に、二つの凹溝３３が互いに離間して形成されているので、凹溝３３が枯葉等により閉塞されるリスクを分散することができるという効果が得られる。
また、凹溝３３が形成されていることにより、前方壁部１９及び後方壁部１８を内部空間側に撓ませ易くなる。したがって、軒樋継手１を軒樋２，３の端部４，５に接着剤を塗布して接続する際に、塗布された接着剤がかき取られ難くなるため、止水不良を防止することができるという効果が得られる。
【００３４】
更に、この変形例４の凹溝３３，３３は、図１２に示すように、樋状体３２の延在方向に対して交差するように、かつ凹溝３３，３３同士が互いに交叉するように形成されていてもよい。具体的には、中間部には、一の屈曲部３４が設けられている。屈曲部３４は、二以上設けることができる。屈曲部３４に代えて、湾曲部とされていてもよい。
この構成によれば、凹溝３３が樋状体３３の延在方向に沿って直線状に形成されている場合に比べて、底板７及び樋状体３２の強度向上を図ることができる。
なお、同様の理由から、上記実施例及び変形例１から３で示した凹溝１１，２２，３０等も、図１２に示すように蛇行して形成されていてもよい。
【００３５】
以上、本発明の軒樋継手１の一実施形態について説明したが、本発明は、上記実施形態で示した構成に限定されるものではなく、本発明の趣旨を逸脱しない範囲で変更することができる。
すなわち、上記実施形態は、直線状の軒樋継手１を例として説明したが、本発明の軒樋継手１の凹溝１１，２２，２５，３０，３３、立上り壁２３，２６，３１及び上壁２７等は、曲がりタイプの軒樋継手等に適用することもできる。
【００３６】
また、上記実施形態の軒樋継手１は、断面が多角形状の軒樋２，３に適用する場合について説明したが、半円弧状等の軒樋に適用することもできる。
また、上記の実施形態又はその変形例では、凹溝１１，２２，３０，３０等が一又は二つ設けられた構成となっているが、凹溝は三つ以上設けられていてもよい。
【符号の説明】
【００３７】
１  軒樋継手，    ２  上流側の軒樋，    ３  下流側の軒樋，    ６  樋状体，    ８  内底面，    ９，１０  内底面の端縁，    １１  凹溝，    ２１  変形例１の樋状体，    ２２  凹溝，    ，    ２３  立上り壁，    ２４  変形例２の樋状体，    ２５  凹溝，    ２６  立上り壁，    ２７  上壁，    ２８  貫通孔，    ２９  変形例３の樋状体，    ３０  凹溝，    ３１  立上り壁，    ３２  変形例４の樋状体，    ３３  凹溝，    ３４  屈曲部
【図１】
2015055117.tif 000003
【図２】
2015055117.tif 000004
【図３】
2015055117.tif 000005
【図４】
2015055117.tif 000006
【図５】
2015055117.tif 000007
【図６】
2015055117.tif 000008
【図７】
2015055117.tif 000009
【図８】
2015055117.tif 000010
【図９】
2015055117.tif 000011
【図１０】
2015055117.tif 000012
【図１１】
2015055117.tif 000013
【図１２】
2015055117.tif 000014